(57)【特許請求の範囲】
【請求項１】
第１基板と第２基板とが互いに対向して配設され、前記第１基板の対向面に第１電極群と第２電極群とが互いに並行に配されていると共に、前記第２基板の対向面に前記第１電極群及び前記第２電極群と立体交差して第３電極群が配され、前記第１基板と第２基板との間に放電ガスが封入されたガス放電パネルと、書き込み期間においてデータの書き込みを行ない、維持期間において放電維持を行う駆動回路とを備えるガス放電表示装置であって、
前記駆動回路は、
前記第１電極群に、走査パルスと重畳するようにベースパルスを書き込み期間に印加し、
且つ、前記ベースパルスは、印加開始から前記走査パルスが印加される直前までの平均電圧変化率が１０Ｖ／μ秒以下であることを特徴とするガス放電表示装置。
【請求項２】
前記駆動回路が第１電極群に印加するベースパルスは、
前記ベースパルスの印加開始から前記走査パルスが印加される直前までの期間内に、電圧がランプ状に変化する部分を含むことを特徴とする請求項１記載のガス放電表示装置。
【請求項３】
前記駆動回路が第１電極群に印加するベースパルスは、
前記ベースパルスの印加開始から前記走査パルスが印加される直前までの期間内に、電圧が指数関数的に変化する部分を含むことを特徴とする請求項１記載のガス放電表示装置。
【請求項４】
第１基板と第２基板とが互いに対向して配設され、前記第１基板の対向面に第１電極群と第２電極群とが互いに並行に配されていると共に、前記第２基板の対向面に前記第１電極群及び前記第２電極群と立体交差して第３電極群が配され、前記第１基板と第２基板との間に放電ガスが封入されたガス放電パネルと、書き込み期間に先立つ初期化期間において初期化パルスを印加し、前記書き込み期間においてデータの書き込みを行ない、維持期間において放電維持を行う駆動回路とを備えるガス放電表示装置であって、
前記駆動回路は、
前記第１電極群に、走査パルスと重畳するようにベースパルスを書き込み期間に印加し、
且つ、前記ベースパルスは、印加開始から前記走査パルスが印加される直前までの平均電圧変化率が１０Ｖ／μ秒以下であることを特徴とするガス放電表示装置。
【請求項５】
前記駆動回路が第１電極群に印加するベースパルスは、
前記ベースパルスの印加開始から前記走査パルスが印加される直前までの期間内に、電圧がランプ状に変化する部分を含むことを特徴とする請求項４記載のガス放電表示装置。
【請求項６】
前記駆動回路が第１電極群に印加するベースパルスは、
前記ベースパルスの印加開始から前記走査パルスが印加される直前までの期間内に、電圧が指数関数的に変化する部分を含むことを特徴とする請求項４記載のガス放電表示装置。
【請求項７】
前記初期化パルスの立ち上がり部分、立ち下がり部分の少なくとも一方において、前記第１電極群に印加する電圧を１０Ｖ／μ秒以下で変化させることを特徴とすることを特徴とする請求項４記載のガス放電表示装置。
【請求項８】
前記初期化パルスは、前記駆動回路によって第１電極群に印加され、
当該初期化パルスの立ち上り部分及び立ち下がり部分の少なくとも一方において、電圧がランプ状に変化する部分を含むことを特徴とする請求項４記載のガス放電表示装置。
【請求項９】
前記初期化パルスは、前記駆動回路によって第１電極群に印加され、
当該初期化パルスの立ち上り部分及び立ち下がり部分の少なくとも一方において、電圧が指数関数的に変化する部分を含むことを特徴とする請求項４記載のガス放電表示装置。
【請求項１０】
前記駆動回路は、
前記初期化期間における初期化パルスの立ち下がり開始から、前記書き込み期間における前記走査パルスが印加される直前までの期間において、
前記第１電極群に印加する電圧を１０Ｖ／μ秒以下で連続的に変化させることを特徴とする請求項７記載のガス放電表示装置。
【請求項１１】
前記初期化パルスは、前記駆動回路によって第１電極群に印加され、
当該初期化パルスの立ち下がり部分から、前記書き込み期間における前記走査パルスが印加される直前までの期間内において、電圧がランプ状に変化する部分を含むことを特徴とする請求項１０記載のガス放電表示装置。
【請求項１２】
前記初期化パルスは、前記駆動回路によって第１電極群に印加され、
当該初期化パルスの立ち下がり部分から前記書き込み期間における前記走査パルスが印加される直前までの期間内において、電圧が指数関数的に変化する部分を含むことを特徴とする請求項１０記載のガス放電表示装置。
【請求項１３】
前記駆動回路が前記第１電極群に印加する走査パルスとベースパルスとは、互いに同極性であることを特徴とする請求項１または４記載のガス放電表示装置。
【請求項１４】
前記放電ガスの封入圧力が大気圧以上であることを特徴とする請求項１または４記載のガス放電表示装置。。
【請求項１５】
前記ガス放電パネルに封入されている放電ガスは、
Ｘｅが含有され、
且つ、放電ガスの封入圧力に対するＸｅ分圧が１０％以上であることを特徴とする請求項１４記載のガス放電表示装置。
【発明の詳細な説明】
【０００１】
【発明の属する技術分野】
本発明は、コンピュータおよびテレビ等の画像表示に用いるガス放電表示装置に関し、特に面放電ＡＣ型プラズマディスプレイパネルに関する。
【０００２】
【従来の技術】
近年、ハイビジョンをはじめとする高品位で大画面のテレビに対する期待が高まっている中で、プラズマディスプレイパネル（Plasma Display Panel，以下ＰＤＰと記載する）は、小さい奥行きでも大画面を実現することが可能である点で注目されており、既に６０インチクラスの製品も開発されている。
【０００３】
ＰＤＰは、大別して直流型（ＤＣ型）と交流型（ＡＣ型）とに分けられるが、現在では大型化に適したＡＣ型が主流となっている。
一般的な交流面放電型ＰＤＰは、前面パネルと背面パネルとが隔壁を介して平行に配され、隔壁で仕切られた放電空間内には放電ガスが封入されている。そして、前面パネル上には走査電極と維持電極が平行配設され、その上を誘電体層が覆っている。そして、背面パネル上には、アドレス電極と隔壁が配され、隔壁間に赤，緑，青の蛍光体層が配設されている。
【０００４】
図１３は、このＰＤＰの電極マトリックスを示す図であって、本図では走査ラインＬの数ｎは４、アドレスラインの数ｍは６として示している。
各走査電極ＳＣ1…ＳＣ4と各維持電極ＳＵ1…ＳＵ4とが対をなして当ピッチで平行に配され、これらと直交してアドレス電極Ａ1…Ａ6が配されている。そして、走査電極ＳＣ及び維持電極ＳＵの対とアドレス電極Ａとが立体交差するところに、放電セルが形成されている。隣り合う放電セルの間は隔壁群ＲＩＢ1…ＲＩＢ7で仕切られている。
【０００５】
そして、ＰＤＰの駆動時においては、各電極に駆動回路でパルスを印加することによって放電を発生させると、それに伴って放電ガスから紫外線が放出され、蛍光体層の蛍光体粒子（赤，緑，青）がこの紫外線を受けて励起発光するようになっている。
ところで、各放電セルは元来、点灯か消灯の２階調しか表現できないため、１フィールドを、固有の重みを持つ複数のサブフィールドに分割して点灯時間を時分割し、その組み合わせによって中間階調を表現する方式（フィールド内時分割階調表示方式）が用いられている。
【０００６】
図１４は、２５６階調を表現する場合における１フィールドの分割方法を示す図であって、横方向は時間、斜線部は放電維持期間を示している。
図１５は、この方式でＰＤＰを駆動する際に、１つのサブフィールドにおいて各電極に印加する駆動電圧波形の一例を示す図である。本図に示すように、１つのサブフィールドは、書き込み期間、維持期間および消去期間に分かれている。
【０００７】
書き込み期間では、維持電極ＳＵ1…ＳＵnを一定電位（図１５では０Ｖ）に保ち、表示する画像データに応じて選択的に書き込みパルスＰａがアドレス電極Ａ1…Ａmに印加されると共に、前記書き込みパルスＰａと逆相の走査パルスＰscnが走査電極ＳＣ１…ＳＣｎに加えられる。
それによって、走査電極−アドレス電極間の電位差によって第１の書き込み放電を起こると同時に、その放電をトリガとして走査電極−維持電極間に第２の書き込み放電が生じ（以降、第１の書き込み放電及び第２の書き込み放電を合わせて「書き込み放電」と呼ぶことにする。）、維持放電に必要な壁電荷が形成される。
【０００８】
このような書き込み放電を各走査電極ごとに順次起こすことによって、画面全体に書き込みがなされる。
維持期間では、走査電極ＳＣ１…ＳＣｎ及び維持電極ＳＵ１…ＳＵｎに一括して、交流維持パルスＰsx及びＰsyが印加される。これにより、書き込み期間に壁電荷が形成された放電セルで維持放電が継続して起こり、画像が表示される。
【０００９】
消去期間においては、全ての維持電極に消去パルスＰｅが印加され、消去放電が発生される。この消去動作によって、維持放電終了後に残留した壁電荷をほぼ中和することができる。
ところでこの駆動方法において、限られた長さの書き込み期間内に多数の走査ラインを走査する必要があるため、書き込み放電は不安定になりやすい。そして、書き込み放電が不安定であると、その後の維持放電による発光が不安定となる。
【００１０】
ここで書き込み電圧を大きく設定できればよいが、データドライバの性能に限界があるため、書き込みパルスの電圧を大きくすることは実際上できない。
よって、良好な画像表示を行うために、限られた長さの書き込み期間内において、書き込み放電動作を確実に行わせることが課題となっている。
また、ＰＤＰにおいては、発光輝度を向上させるために、放電ガスの封入圧力を大気圧以上に設定したり放電ガスとしてＸｅ分圧が１０％以上であるようなＸｅを含有する放電ガスを封入したものも開発されている。特に、このようなＰＤＰは放電開始電圧が高くなるので、書き込み放電が不安定になりやすいという課題も顕著なものとなり、上記図１５に示す駆動方法では駆動することが難しい状態である。
【００１１】
このような課題に対して、例えば、特開平８−２１２９３０号公報では、書き込み期間の前に初期化期間を設けた駆動方法が示されている。
図１７は、この駆動方法の駆動電圧波形の一例を示すものであり、初期化期間において正極性の初期化パルスＰrnを走査電極ＳＣ1…ＳＣnに印加している。
このように矩形波の初期化パルスを印加することによって初期化放電が起こると、消去放電後に残留した放電セル内の壁電荷を完全に中和するという効果が得られると共に、後続の書き込み放電を容易かつ安定に生じさせるプライミング効果を得ることができるので、書き込みの安定化を図る上で有効ではある。しかし、これだけで書き込み放電の安定化に対して十分でるとは言えず、別の解決方法も望まれている。
【００１２】
書き込みの安定化を図る課題に対して、更に、特開平６−２８９８１１号公報において、書き込み期間において、書き込みパルスと逆極性のベースパルスを走査電極に印加する駆動方法が開示されている。
図１６はこのような駆動方法における駆動電圧波形の一例を示したものであるが、本図では、アドレス電極Ａ1…Ａmには正極性の書き込みパルスＰａが印加され、走査電極ＳＣ1…ＳＣnには、負極性で波高が一定のベース電圧Ｖｂを持つベースパルスが書き込み期間全体にわたって印加されると共に、それに重畳して同じく負極性の走査パルスＰscoが印加されている。
【００１３】
このように走査電極にベースパルスを印加すると、印加されたベースパルスの分だけアドレス電極−走査電極間および走査電極−維持電極間の電位差が大きくなるので、上述の第１の書き込み放電が生じやすくなると共に、第２の書き込み放電もより確実に起こすことができる。その結果、書き込みパルス電圧を高くしなくても、書き込み放電を安定して行い表示品質を向上することができる。
【００１４】
また、このベースパルスを印加する駆動方法を用いれば、放電ガスの封入圧力が大気圧以上である場合や放電ガスとしてＸｅ分圧が１０％以上であるようなＸｅを含有する放電ガスを封入したＰＤＰにおいても一応駆動は可能となる。
【００１５】
【発明が解決しようとする課題】
しかし、このベースパルスを印加する駆動方法においても、ベース電圧Ｖｂの絶対値を大きく設定した場合には、書き込み期間の最初において誤放電が生じることによって画質劣化が生じる傾向がある。
例えば、製造ばらつきなどによって書き込み放電が生じにくいＰＤＰにベースパルスを印加する駆動方法を適用する場合、書き込み電圧を高くするために、ベース電圧Ｖｂの絶対値を大きく設定しなければならないが、書き込み期間の最初において誤放電が生じることによって画質劣化が生じる傾向がある。
【００１６】
よって、高い書き込み電圧を要するＰＤＰに対しても安定して書き込みを行えるようにすることが望まれる。
本発明は、ガス放電パネルに安定して書き込み動作を行うことができるようにし、それによって優れた画質で表示することのできるガス放電装置を提供することを目的とする。
【００１７】
【課題を解決するための手段】
上記目的を達成するため、本発明では、第１基板と第２基板とが互いに対向して配設され、第１基板の対向面に第１電極群と第２電極群とが互いに並行に配されていると共に、第２基板の対向面に第１電極群及び第２電極群と立体交差して第３電極群が配され、第１基板と第２基板との間に放電ガスが封入されたガス放電パネルと、書き込み期間においてデータの書き込みを行ない、維持期間において放電維持を行うガス放電表示装置において、書き込み期間において、走査パルスと重畳するようにベースパルスを走査電極群に印加するのであるが、そのベースパルスにおける印加開始から走査パルスが印加される直前までの平均電圧変化率を１０Ｖ／μ秒以下に規定した。
【００１８】
上記ガス放電表示装置において、書き込み期間に、第１電極（走査電極）に走査パルスを順次印加しながら、それに合わせて第３電極（アドレス電極）の中の選択された電極に走査パルスとは逆極性の書き込みパルスを印加することによって画像書き込みを行い、続いて、維持期間に、第１電極（走査電極）と第２電極（維持電極）との間に電圧を印加することによって放電維持を行い、画像を表示することができる。
【００１９】
また更に、第１電極に印加するベースパルスの極性は、基本的に走査パルスと同じ極性である。このように走査パルスと同極性のベースパルスを印加することによって、走査パルスの電圧と書き込みパルス電圧との差を「書き込み放電開始電圧」よりも小さく設定しても、走査パルスの電圧と書き込みパルス電圧との差にベース電圧分が加算された値が「書き込み放電開始電圧」を超えるようにすれば、走査パルス及び書き込みパルスを印加するときに、第１電極と第３電極との間の電圧が「書き込み放電開始電圧」を超えるので、書き込み放電が安定して行われる。
【００２０】
ここで、「書き込み放電開始電圧」は、書き込み期間において放電が開始される電圧を示す。
なお、ベースパルスの波高は、通常、書き込み期間全体にわたってほぼ一定であるが、「書き込み放電開始電圧」を超える電圧が発生された後は、確実に放電が行われる程度で変動があってもよい。
【００２１】
ここで、「ベースパルスの印加開始から走査パルスを印加する直前までの平均電圧変化率」の意味について説明する。
ベースパルスの印加開始は、ベースパルス立ち上がりが開始する時点である（なお、本明細書で「立ち上がり」は、パルス極性が正極性の場合はパルスの前縁から電圧が上昇する部分、パルス極性が負極性の場合はパルスの前縁から電圧が下降する部分を指すものとする。）。
【００２２】
また、「走査パルスを印加する直前」について説明する。
走査パルスの電圧値と書き込みパルス電圧値との差を、書き込み放電開始電圧よりも小さく設定した場合、第１電極と第３の電極間の電圧に、走査パルスの電圧と書き込みパルス電圧との差を加算した加算値は、ベースパルスの印加開始時点では「書き込み放電開始電圧」より小さいが、印加開始から時間が経過するに従って大きくなり、ある時点で「書き込み放電開始電圧」に到達する。つまり、走査パルスの電圧と書き込みパルス電圧との差を第１電極、第３電極間の電圧に加算した値が書き込み放電開始電圧以上になる程度に、走査パルスが印加される直前には第１電極と第３電極間に電圧を印加しておく必要がある。
【００２３】
このように、走査電極にベースパルスを印加開始した時点及び走査パルスを院加する前の期間（以降、「ベースパルス印加タイミング」とする。）において、平均電圧変化率を１０Ｖ／μ秒以下と緩やかにすることによって、以下の作用効果を奏する。
本発明者は、ベース電圧Ｖｂの絶対値を大きく設定した場合に書き込み期間の最初に誤放電が生じる原因を考察したところ、ベースパルス印加開始タイミングＴｂにおいて、アドレス電極−走査電極間では放電が発生していない状態で、走査電極−維持電極間の電圧が放電開始電圧を越えてしまうことによって大きな放電が発生することが原因であることを見出した。
【００２４】
そして、ベース電圧の絶対値を大きく設定した場合でも、上記のようにベース電圧を印加開始した後の電圧変化を緩やかにすれば、放電セル内部の電圧が放電開始電圧を超えるときに微小な放電が生じるのみであって、大きな放電は生じないことも見出した。
即ち本発明によれば、ベース電圧の絶対値を大きく設定した場合でも、ベースバルス印加タイミングにおいて誤放電が生じるのを回避できるので、書き込みを安定に行うことができるという効果が得られる。
【００２５】
また、ベースパルス印加タイミングに大きな放電が生じると、当該放電に伴う発光によってコントラストが低下するが、本発明によれば、このような発光が抑えられるのでコントラストの低下も生じにくい。
このような本発明は、上述した初期化パルスを印加する技術と組み合わせることにより顕著な効果を奏する。
【００２６】
即ち、走査電極群に、初期化パルスを印加した後に、書き込み期間に初期化パルスとは逆極性のベースパルスを印加する場合には、ベースパルス印加タイミングにおいていっそう誤放電が発生しやすい状態になるが、ベースパルス印加タイミングにおいて緩やかに電圧を変化させれば誤放電が防止できるので、より効果的である。
【００２７】
この場合、初期化パルスの立ち上がり部分並びに立ち下がり部分も、平均電圧変化率１０Ｖ／μ秒以下で変化させることが好ましく、また、初期化パルスの立ち下がり部分からベースパルス印加タイミングの期間を通して連続的に変化させることが好ましい。
また、本発明を用いれば、従来駆動することの難しかった封入ガス圧力が大気圧以上のガス放電パネルや放電ガス中のＸｅ分圧が１０％以上のガス放電パネルでも、安定して駆動することができる。
【００２８】
【発明の実施の形態】
本発明のガス放電表示装置の一実施形態について、図面を用いて説明する。本発明のガス放電表示装置は、ガス放電型ＰＤＰ、該ＰＤＰを駆動する駆動装置を備えている。
〔ＰＤＰの構造について〕
図１は、本発明の一実施の形態に係る交流面放電型ＰＤＰの概略構成を示す斜視図である。
【００２９】
このＰＤＰは、前面ガラス基板１１上に走査電極群ＳＣ…，維持電極群ＳＵ…、誘電体層１３、保護層１４が配されてなる前面パネル１０と、背面ガラス基板２１上にアドレス電極群Ａ…、誘電体層２３が配された背面パネル２０とが、電極群ＳＣ…，ＳＵ…とアドレス電極群Ａ…とを対向させた状態で間隔をおいて互いに平行に配されて構成されている。そして、前面パネル１０と背面パネル２０との間隙は、ストライプ状の隔壁ＲＩＢで仕切られることによって放電空間４０が形成され、当該放電空間４０内には放電ガスが封入されている。
【００３０】
また、この放電空間４０内において、背面パネル２０側には、蛍光体層３１が配設されている。この蛍光体層３１は、赤，緑，青の順で繰返し並べられている。
このＰＤＰの電極マトリックスは、従来例の図１３に示したものと同様であって、走査電極群ＳＣ1…ＳＣn，維持電極群ＳＵ1…ＳＵn及びアドレス電極群Ａ1…Ａmは、共にストライプ状であって、各走査電極ＳＣ1…ＳＣn，維持電極ＳＵ1…ＳＵnは隔壁ＲＩＢと直交する方向に、アドレス電極Ａ1…Ａmは隔壁ＲＩＢと平行に配されている。
【００３１】
走査電極群ＳＣ1…ＳＣn，維持電極群ＳＵ1…ＳＵn，アドレス電極群Ａ1…Ａmは、銀，金，銅，クロム，ニッケル，白金等の金属単独で形成してもよいが、走査電極群ＳＣ1…ＳＣn，維持電極群ＳＵ1…ＳＵnについては、ＩＴＯ，ＳｎＯ2 ，ＺｎＯ等の導電性金属酸化物からなる幅広の透明電極の上に幅細の銀電極を積層させた組み合わせ電極を用いてもよい。
【００３２】
誘電体層１３は、前面ガラス基板１１の電極群ＳＣ1…ＳＣn，ＳＵ1…ＳＵnが配された表面全体を覆って配設された誘電物質からなる層であって、一般的に、鉛系低融点ガラスが用いられているが、ビスマス系低融点ガラスで形成しても良い。
保護層１４は、酸化マグネシウム（ＭｇＯ）からなる薄層であって、誘電体層１３の表面全体を覆っている。
【００３３】
隔壁ＲＩＢは、背面パネル２０の誘電体層２３の表面上に突設されている。
隣り合う放電セルの間は隔壁群ＲＩＢで仕切られ、これによって隣接する放電セルへの放電拡散が遮断されるため、解像度の高い表示を行うことができるようになっている。
また、この隔壁ＲＩＢは、両ガラス基板１１，２１間を隔てるスペーサとしての働きもなしている。なお、この隔壁ＲＩＢは必ずしも必要ということではなく、隔壁ＲＩＢの代りにガラスビーズなどをスペーサとして配設してもよい。
【００３４】
放電ガスは、Ｘｅを含む混合ガス（例えばＮｅ−Ｘｅ、Ｈｅ−Ｘｅ）であって、一般的にはＸｅ含有量は１０％未満で封入圧力は大気圧未満（通常は１×１０4〜７×１０4Ｐａ程度）に設定されているが、後の実施の形態５で述べるように、Ｘｅ含有量を１０％以上に設定したり、大気圧より高い圧力（８×１０4Ｐａ以上の圧力）に設定することよって、パネル輝度及び発光効率を向上させることもできる。
【００３５】
〔ＰＤＰの駆動方式について〕
このＰＤＰは、駆動装置（後述する駆動装置１００）を用いてフィールド内時分割階調表示方式を用いて駆動される。
上記図１４に示される分割方法の例では、１フィールドは、８個のサブフィールドＳＦ１〜ＳＦ８で構成され、各サブフィールドの放電維持期間の比は、１，２，４，８，１６，３２，６４，１２８に設定されており、この８ビットバイナリの組み合わせによって２５６階調を表現できる。なお、ＮＴＳＣ方式のテレビ映像においては、１秒間あたり６０枚のフィールド画像で映像が構成されているため、１フィールドの時間は１６．７ｍｓに設定されている。
【００３６】
各サブフィールドは、書き込み期間、放電維持期間という一連のシーケンスで構成されており、１サブフィールド分の動作を８回繰返すことによって、１フィールドの画像表示が行われる。
次に、各サブフィールドにおいて各電極に印加する方式について、以下の実施の形態１〜４において説明する。
【００３７】
〔実施の形態１〕
図２は、実施の形態１において、１つのサブフィールドにおいて各電極にパルスを印加するときの駆動電圧波形の一例を示す図である。
書き込み期間においては、アドレス電極Ａ1…Ａmの中で表示データに応じて選択されたものに、一極性（正極性）の書き込みパルスＰａが印加される。
【００３８】
また、走査電極ＳＣ1…ＳＣnに一括して、書き込みパルスＰａと反対極性（負極性）のベースパルスを書き込み期間全体にわたって印加すると共に、走査電極ＳＣ1…ＳＣnごとに順次、上記書き込みパルスＰａを印加するタイミングに合わせて、ベースパルスと同極性（負極性）の走査パルスＰscoを重畳して印加することによって書き込み放電を起こして書き込みを行う。
【００３９】
維持期間においては、走査電極群ＳＣ1…ＳＣn及び維持電極群ＳＵ1…ＳＵnに、維持パルスＰsx及び維持パルスＰsyを交互に印加する。これによって、書き込み期間に壁電荷が形成されたセルで維持放電が継続して起こり、画像表示がなされる。
消去期間においては、維持電極群ＳＵ1…ＳＵnに、消去パルスＰｅを印加することによって、放電セルに残留している壁電荷を消去する。
【００４０】
（ベースパルスについての説明）
上記ベースパルスは、書き込み期間全体にわたって印加される幅の広いパルスであるが、その立ち上がり部分は、ほぼ一定の傾斜で徐々に電圧が変化しているランプ状波形である。即ち、書き込み期間の導入部Ｉａ（ベースパルスの立ち上がり開始からベース電圧Ｖｂに達するまでの期間）において走査電極ＳＣ1…ＳＣnに印加する電圧は、徐々に変化した後に一定のベース電圧Ｖｂに達している。そして、走査パルスＰscoは、書き込み期間の導入部Ｉａにおいては印加されず、ベースパルスがベース電圧Ｖｂに達してから印加されている。なお、ランプ波形（Ramp  Waveform）に関しては、ＡＳＩＡ  ＤＩＳＰＬＡＹ  ９８中の「Plasma  Display  Device  Challenges（Larry  F  Weber）」に記載されている（Ｐ２３〜２７）。
【００４１】
ここで、走査パルスＰscoにベースパルスを重畳することによる基本的な効果について説明する。
先ず、上記ＰＤＰにおいて、走査電極ＳＣ1…ＳＣnとアドレス電極Ａ1…Ａmとの間で放電が開始される一定の「書き込み放電開始電圧」が存在する。即ち、走査電極ＳＣ1…ＳＣnとアドレス電極Ａ1…Ａmとの間に、きわめてゆっくり電圧値を上昇させながら電圧を印加すると、ある電圧レベルに達したときに放電が開始されるが、このときの電圧が「書き込み放電開始電圧」である。
【００４２】
一般的に、書き込み期間にベースパルスを印加しない場合には、走査パルスＰscoの電圧値と書き込みパルスＰａの電圧値との差は、この「書き込み放電開始電圧」よりも大きく設定する必要があるが、書き込み期間にベースパルスを印加する場合は、走査パルスＰscoの電圧値と書き込みパルスＰａの電圧値との差に、ベース電圧Ｖｂを加算した値が「書き込み放電開始電圧」を越えればよいので、走査パルスＰscoの電圧値と書き込みパルスＰａの電圧値との差を、書き込み放電開始電圧よりも小さく設定することができる。
【００４３】
即ち、ベースパルスを印加すれば、書き込みパルスＰａの電圧値をあまり高く設定しなくても、走査パルスＰsco及び書き込みパルスＰａの印加時に走査電極ＳＣ1…ＳＣnとアドレス電極Ａ1…Ａmとの間で、「書き込み放電開始電圧」を超える電位差が生じ、安定した書き込み放電がなされる。
そして、この場合、走査電極ＳＣ1…ＳＣnとアドレス電極Ａ1…Ａm間の電圧に、走査パルスの電圧と書き込みパルス電圧との差を加算した加算値は、ベースパルスの印加開始時点では「書き込み放電開始電圧」より小さいが、導入部Ｉａにおいて時間経過に伴って大きくなり、導入部Ｉａの途中で「書き込み放電開始電圧」に達し、導入部Ｉａの終了時に、少なくとも走査パルスが印加される前には「書き込み放電開始電圧」を超えることになる。
【００４４】
更に、本実施形態では、ベースパルスが上記のように立ち上がり部分が緩やかかなため、以下のような効果を奏する。
書き込み期間において、図１６の従来例のように立ち上がりが急なベースパルスを印加する方式を用いてＰＤＰを駆動する場合に、ベース電圧Ｖｂの絶対値を大きく設定すると、ベースパルス印加タイミングＴｂにおいて、アドレス電極−走査電極間では放電が発生していない状態で、走査電極−維持電極間の電圧が放電開始電圧を越えてしまい、大きな放電が発生することが原因で誤放電が生じてしまう傾向がある。この誤放電は、パネルの特性にもよるが、ベース電圧Ｖｂの絶対値が１００Ｖを超えると生じやすくなる。また、大きな放電が生じると、発光によってコントラストも低下する。
【００４５】
特に、ＰＤＰ内の放電セルごとに放電の起きやすさが不均一である場合、書き込み放電の起きやすい放電セルで誤放電が発生しやすい。
これに対して、図２のように、書き込み期間の導入部Ｉａで、傾斜を保って徐々に電圧を変化させるように印加すれば、この導入部Ｉａで放電セル内の電圧が放電開始電圧を越えたとしても、放電開始電圧を越えた時点から表示発光にほとんど寄与しない微小な放電が発生するのみで、大きな誤放電は生じない。このときに起こる放電が微小なのは、電圧の変化が緩やかであるため、放電セル内の電圧が放電開始電圧を大きく超えることがなく、放電が起こってもすぐに停止するからである。
【００４６】
従って、立ち上がりの緩やかなベースパルスを用いると、ベース電圧Ｖｂの絶対値を大きく、１００Ｖを超える値に設定しても、誤放電の発生を抑えることができ、導入部Ｉａでの発光に伴うコントラストの低下も抑えられる。
導入部Ｉａ（立ち上がり開始からベース電圧Ｖｂまでの期間）における平均傾きは１０Ｖ／μ秒以下に設定することが好ましい。
【００４７】
また、導入部Ｉａの中で、走査電極ＳＣ1…ＳＣnとアドレス電極Ａ1…Ａm間の電圧に、走査パルスの電圧と書き込みパルス電圧との差を加算した加算値が、「書き込み放電開始電圧」に到達する時点（書き込み放電開始電圧到達時点）までの期間における平均傾きを１０Ｖ／μ秒以下に設定してもよい。
更に、ベース電圧Ｖｂに達したと同時に走査パルスＰscoを印加してもよいし、休止時間を設けて走査パルスＰscoを印加してもよい。つまり、ベースパルスの印加開始から走査パルスＰscoを印加する直前までの間で、平均傾きを１０Ｖ／μ秒以下の期間を設ければよい。
【００４８】
また、このように立ち上がりの緩やかなベースパルスを用いることによるもう一つの利点として、緩やかな電圧変化の際に生じる微小な放電により得られるプライミング効果が、後続の書き込み放電を補助するので、放電遅れ及びそのばらつきが軽減されることもあり、それによって、書き込みを更に安定して行うことが可能となる。
【００４９】
（ベースパルスの導入部Ｉａにおける波形の変形例）
上記図２に示したベースパルスは、導入部Ｉａにおける波形が直線的に変化するランプ状である。導入部Ｉａにおける平均傾き若しくは導入部Ｉａの中で書き込み放電開始電圧到達時点までの平均傾きが１０Ｖ／μ秒以下であれば、微小期間において傾きが１０Ｖ／μ秒を越えても上記効果が得られる。
【００５０】
例えば、図３（Ａ）に示すように、導入部Ｉａにおいてベースパルス波形が指数関数的に変化する部分を有している場合、或は図３（Ｂ）に示すように、導入部Ｉａにおいてベースパルス波形が微細な階段状に変化する部分を有している場合、或は図３（Ｃ）に示すように、導入部Ｉａにおいてベースパルス波形が細かく振動しながら変化する部分を有している場合、或は、これらを複合した場合であっても、上記のように平均傾きが１０Ｖ／μ秒以下であれば、同様の効果が得られる。
【００５１】
以上のように、本実施の形態の駆動方式を用いれば、上記作用効果によって、書き込みにくい放電セルを持つＰＤＰに対しても、安定した書き込みを行うことが可能となる。
〔実施の形態２〕
図４は実施の形態２における駆動電圧波形の一例を示す図である。
【００５２】
本実施の形態では、初期化期間を設けて走査電極ＳＣ1…ＳＣnに初期化パルスＰrnを印加するが、その他の書き込み期間から消去期間にかけては実施の形態１と同様の電圧波形を各電極に印加する。
これによって以下のような効果を奏する。
走査電極ＳＣ1…ＳＣnに対して、初期化期間に図１７に示したような正極性矩形波の初期化パルスＰrnを印加して初期化を行った後は、直前のサブフィールドにおける消去放電後に残留した放電セル内部の壁電荷が完全に中和されるため、書き込み放電が起こりやすい状態となる。
【００５３】
しかし、この状態で書き込み期間に図１６に示したような立ち上がりの急な負極性のベースパルスを印加すると、初期化を行わないときと比べて更に、ベースパルス印加タイミングＴｂにおいて誤放電が起こりやすくなってしまう。なお、パネルの特性にもよるが、初期化を行った場合、ベース電圧Ｖｂの絶対値が１５Ｖを超えると誤放電が生じやすくなる。
【００５４】
これに対して、図４に示すように、ベースパルスを印加させて、書き込み期間の導入部Ｉａにおいてゆるい傾斜で電圧変化させればよい。初期化パルスの印加によって放電セル内部が放電しやすい状態になっていても、実施の形態１で説明した作用と同様、導入部Ｉａで放電セル内の電圧が放電開始電圧を越えた時点から表示発光にほとんど寄与しない微小な放電が発生するのみで、大きな誤放電は生じない。
【００５５】
本実施の形態においても、導入部Ｉａにおける平均傾き若しくは導入部Ｉａの中で書き込み放電開始電圧到達時点までの平均傾きは、１０Ｖ／μ秒以下に設定することが好ましい。
また、上記実施の形態１において「導入部Ｉａにおけるベースパルス波形の変形例」として説明した内容は、本実施の形態にもあてはまる。
【００５６】
以上のように、本実施の形態のように初期化パルスを印加して且つ立ち上がりの緩やかなベースパルスを用いると、初期化パルスを印加することによる効果とベースパルスを印加することによる効果の両方を得るこができ、且つ誤放電を防止できるので、より安定に書き込みを行うことが可能となる。
〔実施の形態３〕
図５は実施の形態３における駆動電圧波形の一例を示した図である。
【００５７】
本実施形態の駆動電圧波形は実施の形態２と同様であるが、初期化期間における初期化パルスＰrgの立ち上がり部分Ｓｕおよび立ち下がり部分Ｓｄに傾斜を設けた点が異なっている。
このように初期化パルスの立ち上がり部分Ｓｕ及び立ち下り部分Ｓｄに傾斜をつけることによって、実施の形態２のように初期化パルスに単純な矩形波を用いる場合と比べて、初期化パルスの電圧設定範囲が広くなると共に、初期化動作をより確実に行うことができるようになる。
【００５８】
即ち、初期化パルスの立ち上がり部分Ｓｕにおける傾斜が大きいほど、電圧変化が緩やかになるため立ち上がり時に生じる放電の大きさが弱まる。従って、初期化パルスの立ち上がり部分Ｓｕに傾斜をつけることによって、初期化放電の大きさを容易に抑制することができるので、それだけ初期化パルスの電圧絶対値を大きく設定することが可能となる。
【００５９】
また、ＰＤＰの放電セル間で放電特性にばらつきが存在する場合は、初期化パルスの立ち上がり部分に傾斜がないと、すべての放電セルに急に電圧がかかってしまうため、放電しやすい放電セルでは過剰な電圧がかかることによって初期化放電が不安定になる。しかし、初期化パルスの立ち上がり部分に緩やかな傾斜を有する場合は、初期化パルスの電圧が各放電セルにおいて初期化放電に最適な電圧に達した時点で、各放電セルごとに順次初期化放電が起きるため、初期化動作をより確実に行える。
【００６０】
一方、初期化パルスの立ち下がり部分Ｓｄにおいて傾斜をつけると、立ち下がり部分での自己消去放電を防ぐことができるので、やはり初期化パルスの電圧絶対値を大きく設定することが可能となり、初期化動作を確実に行うことができる。この自己消去放電とは、パルス電圧の立ち上がり部分における放電後に放電セル内にパルス電圧を打ち消す働きをする壁電荷が蓄積され、パルスが立ち下がったときにその壁電荷の電圧によってセルが放電してしまうという現象である。
【００６１】
初期化パルスの立ち上がり部分Ｓｕ及び立ち下がり部分Ｓｄにおける傾斜は、ベースパルスの導入部Ｉａと同様、平均電圧変化率が１０Ｖ／μ秒以下となるように設定することが好ましい。
なお、初期化パルスの立ち上がり部分Ｓｕ及び立ち下がり部分Ｓｄの両方について傾斜を設けることが好ましいが、どちらか一方だけ傾斜を設けることによっても、その分による効果を得ることができる。
【００６２】
また、このように立ち上がり部分Ｓｕ及び立ち下がり部分Ｓｄに傾斜を持つ初期化パルスを用いても、書き込み期間において、図１６の従来例のように立ち上がりが急なベースパルスを印加した場合には、実施の形態２でも説明したようにベースパルス印加タイミングＴｂにおいて誤放電が生じやすく発光によってコントラストも低下しやすい。しかし、本実施形態のように書き込み期間の導入部Ｉａで傾斜をつけていれば、ベースパルス印加タイミングにおける誤放電の発生は防がれ、コントラストの低下も防ぎ、且つ安定した書き込みを行うことができる。
【００６３】
また、上記実施の形態１において「導入部Ｉａにおけるベースパルス波形の変形例」として説明した内容は、本実施の形態にもあてはまる。
（初期化パルスの立ち上がり及び立ち下がり部分の波形についての変形例）
上記図５に示した例では、初期化パルスの立ち上がり部分Ｓｕ及び立ち下がり部分Ｓｄにおける波形は、直線的に変化するランプ状である。この立ち上がり部分Ｓｕ及び立ち下がり部分Ｓｄにおける波形も、実施の形態１の（導入部Ｉａにおけるベースパルス波形の変形例）で説明したのと同様に、指数関数的に変化する部分を有してもよいし、微細な階段状に変化する部分を有してもよい。また、初期化パルス波形が細かく振動しながら変化する部分を有しもよいし、これらを複合したものであってもよい。
【００６４】
以上のように、本実施の形態の駆動方式を用いれば、上記作用効果によって、書き込みにくい放電セルを持つＰＤＰに対しても、安定した書き込みを行うことが可能となる。
〔実施の形態４〕
図６は実施の形態４における駆動電圧波形の一例を示した図である。
【００６５】
本実施形態の駆動電圧波形は上記実施の形態３と同様であるが、初期化期間に印加される初期化パルスＰrgの立ち下がり部分Ｓｄと、書き込み期間の導入部分Ｉａとの間に休止期間がない。更に、初期化パルスの立ち下がり開始からベース電圧Ｖｂに達するまでの期間、若しくは初期化パルスの立ち下がり開始から書き込み放電開始電圧到達時点までの期間は、ほぼ一定の傾斜で電圧が連続的に変化している点が異なっている。
【００６６】
このように、初期化パルスの立ち下がりからベース電圧Ｖｂに至るまでの間、休止期間をとらず連続的に変化させると、放電セル内の電圧が放電開始電圧を越えた後に、微小放電が連続して発生して荷電粒子が放電空間内に残りやすくなるので、プライミング効果が大きくなる。その結果、書き込み放電の放電遅れ及びそのばらつきが著しく軽減される。
【００６７】
よって、誤放電を生じることなく、上記実施の形態３と比べてより安定に書き込みを行うことが可能となる。
なお、図６に示した例では、初期化パルスの立ち下がり開始からベース電圧Ｖｂに達するまでの期間は、ほぼ一定の傾斜で電圧が変化しているが、この期間の傾斜は一定でなくてもよく、電圧変化が連続的であれば同様の効果を奏する。
【００６８】
また、上記実施の形態１において、「導入部Ｉａにおけるベースパルス波形の変形例」として説明した内容、並びに上記実施の形態３において、「初期化パルスの立ち上がり及び立ち下がり部分の波形についての変形例」として説明した内容は、本実施の形態にもあてはまる。
〔実施の形態５〕
本実施形態では、ＰＤＰの駆動時に用いる駆動電圧波形については、上記実施の形態１〜４で説明したのと同様であるが、ＰＤＰにおける放電ガスの封入圧力や放電ガス中のＸｅ含有量を高い範囲に限定している。
【００６９】
即ち本実施の形態では、ＰＤＰの放電ガス封入圧力が大気圧よりも高く設定する、もしくは、ＰＤＰの放電ガス中のＸｅ分圧を１０％以上に設定する。
このように、ＰＤＰの放電ガスの封入圧力や放電ガス中のＸｅ含有量を高く設定することは、パネル輝度や発光効率を高めるのに有利である。しかし、一般的に、ＰＤＰの放電ガス封入圧力や放電ガス中のＸｅ含有量を高く設定すると、パッシェン則に従って放電開始電圧が高くなるので、高い駆動電圧が必要となる（特開平６−３４２６３１のコラム２の８行目〜１６行目、「平成８年電気学会全国大会シンポジウムＳ３−１プラズマディスプレイ放電、平成８年３月」参照）。従って、図１５に示すような従来の駆動方法では、このようなＰＤＰを駆動させることは難しい。
【００７０】
また、図１６に示すように、書き込み期間において走査電極ＳＣ1…ＳＣnにベースパルスを印加することによって、書き込み期間に放電セル内にかかる電圧を大きくする方法も有効であるが、この駆動方法をそのままこのＰＤＰに適用すると、実施の形態１の項で説明したように、ベース電圧Ｖｂを大きくしなければならないことから、ベースパルス印加タイミングＴｂにおいて誤放電が生じやすい。
【００７１】
これに対して、本実施の形態では、実施の形態１で説明したように、走査電極群ＳＣ1…ＳＣnに立ち上がりの緩やかな（立ち上がり開始からベース電圧Ｖｂに達するまで、若しくは立ち上がり開始から書き込み放電開始電圧到達時点までの平均電圧変化率が１０Ｖ／μ秒以下である）ベースパルスを印加して駆動しているため、ベース電圧Ｖｂを大きく設定しても誤放電が生じにくい。よって、放電ガスの封入ガス圧が大気圧よりも高いパネルや放電ガス中のＸｅ含有量の高いＰＤＰでも誤放電を生じることなく、容易に駆動を行うことが可能である。
【００７２】
この結果、ＰＤＰを高輝度・高効率で、且つ安定して駆動することができる。
なお、本実施形態のように、放電ガスの封入圧力や放電ガス中のＸｅ含有量を高く設定する場合には、ベース電圧Ｖｂの絶対値を大きく設定する必要があるため、特に誤放電が生じやすい状態にある。
〔上記実施の形態１〜５全体に関する変形例など〕
上記実施の形態１〜５では、走査電極群ＳＣ1…ＳＣnに印加する初期化パルス及びアドレス電極群Ａ1…Ａmに印加する書き込みパルスは正極性とし、走査電極群ＳＣ1…ＳＣnに印加するベースパルスと走査パルスは負極性とする例を示した。これとは逆に、走査電極群ＳＣ1…ＳＣnに印加する初期化パルス及びアドレス電極群Ａ1…Ａmに印加する書き込みパルスは負極性とし、走査電極群ＳＣ1…ＳＣnに印加するベースパルスと走査パルスは正極性としても、同様に実施することが可能で、同様の効果を奏する。
【００７３】
上記実施の形態１〜５では、ベースパルスの立ち上がり開始からベース電圧Ｖｂに達するまで、若しくは立ち上がり開始から書き込み放電開始電圧到達時点までの平均電圧変化率を１０Ｖ／μ秒以下にするのが好ましいとしたが、この期間の電圧変化を更に緩やかに、平均電圧変化率を５Ｖ／μ秒以下に設定すれば、より確実に効果を得ることができる。
【００７４】
上記実施の形態１〜５では、ベースパルスが立ち上がった後のベース電圧Ｖｂは、書き込み期間全体にわたって一定であるものとしたが、このベース電圧Ｖｂは、必ずしも書き込み期間全体にわたって一定でなくてもよく、緩やかに増減したり、ある程度変動があってもよい。少なくとも書き込み放電開始電圧を超える電圧が発生された後は、確実に各電極間で放電が行われる程度でベース電圧は変動してもよい。
【００７５】
〔駆動装置についての説明〕
上述したＰＤＰの各電極に駆動電圧を印加するための駆動装置について以下に説明する。
ここでは、実施の形態２〜４のように初期化パルスを印加する場合について一例を説明する。
【００７６】
図７は、このような駆動装置１００の構成を示すブロック図である。
この駆動装置１００は、外部の映像出力器から入力されてくる映像データを処理するプリプロセッサ１０１、処理された映像データを格納するフレームメモリ１０２、フィールド毎及びサブフィールド毎に同期パルスを生成する同期パルス生成部１０３、走査電極群ＳＣ1…ＳＣnにパルスを印加するスキャンドライバ１０４、維持電極群ＳＵ1…ＳＵnにパルスを印加するサステインドライバ１０５、アドレス電極群Ａ1…Ａmにパルスを印加するデータドライバ１０６を備えている。
【００７７】
プリプロセッサ１０１は、入力されてくる映像データからフィールド毎の映像データ（フィールド映像データ）を抽出し、抽出したフィールド映像データから各サブフィールドの映像データ（サブフィールド映像データ）を作成してフレームメモリ１０２に格納する。また、フレームメモリ１０２に格納されているカレントサブフィールド映像データから１ラインづつデータドライバ１０６にデータを出力したり、入力される映像データから水平同期信号、垂直同期信号などの同期信号を検出し、同期パルス生成部１０３にフィールドごと及びサブフィールドごとに同期信号を送ることも行う。
【００７８】
フレームメモリ１０２は、フィールド毎に、各サブフィールド映像データを分割して格納できるものである。
具体的には、フレームメモリ１０２は、１フィールド分のメモリ領域（８個のサブフィールド映像を記憶）を２個備える２ポートフレームメモリであって、一方のメモリ領域にフィールド映像データを書き込みながら、他方のメモリ領域から、これに書き込まれているフィールド映像データを読み出す動作を交互に行うことができるようになっている。
【００７９】
同期パルス生成部１０３は、プリプロセッサ１０１からフィールドごと及びサブフィールドごとに送られて来る同期信号を参照して、初期化パルス，走査パルス，維持パルス，消去パルスを立ち上がらせるタイミングを指示するトリガ信号を生成して、各ドライバ１０４〜１０６に送る。
スキャンドライバ１０４は、同期パルス生成部１０３から送られてくるトリガ信号に呼応して、初期化パルス、走査パルス、ベースパルス、維持パルスを生成して印加する。
【００８０】
図８は、スキャンドライバ１０４の構成を示すブロック図である。
初期化パルス，維持パルスは、全ての走査電極ＳＣ1…ＳＣnに共通して印加されるものであるため、図８に示すように、スキャンドライバ１０４には、各パルスを発生するため初期化パルス発生器１１１、維持パルス発生器１１２ａが備えられている。そして、これらのパルス発生器は、フローティンググラウンド方式で直列に接続され、同期パルス生成部１０３からのトリガ信号に応じて作動することによって、初期化パルス，維持パルスが、走査電極群ＳＣ1…ＳＣnに択一的に印加されるようになっている。
【００８１】
またスキャンドライバ１０４は、走査電極ＳＣ1，ＳＣ2…ＳＣnに順に走査パルスを印加するために、ここでは図８に示すように、走査パルス発生器１１４と、これに接続されたマルチプレクサ１１５とを備えている。このスキャンドライバ１０４は、同期パルス生成部１０３からのトリガ信号に応じて、走査パルス発生器１１４でパルスを発生すると共に発生したパルスをマルチプレクサ１１５で切り換えて出力する方式をとっているが、各走査電極ＳＣ1…ＳＣn毎に個別に走査パルス発生回路を設けた構成にすることも可能である。
【００８２】
スキャンドライバ１０４は更に、同期パルス生成部１０３からのトリガ信号に呼応して走査電極ＳＣ1…ＳＣnにベースパルスを印加するベースパルス発生器１１６を備え、このベースパルス発生器１１６で発生するベースパルスと上記走査パルスとが重畳されるようになっている。
そして、上記パルス発生器１１１，１１２からの出力と、走査パルス発生器１１４及びベースパルス発生器１１６からの出力とは、スイッチＳＷ1及びＳＷ2によって、択一的に走査電極群ＳＣ1…ＳＣnに印加される。
【００８３】
サステインドライバ１０５は、維持パルス発生器１１２ｂ，消去パルス発生器１１３を備え、同期パルス生成部１０３からのトリガ信号に呼応して、維持パルス並びに消去パルスを生成して維持電極群ＳＵ1…ＳＵnに印加する。
データドライバ１０６は、シリアルに入力される１ラインに相当するサブフィールド情報に基づいて、データパルスをアドレス電極群Ａ1…Ａmにパラレルに出力するものである。
【００８４】
〔初期化パルス発生器及びベースパルス発生器の構成について〕
ベースパルス発生器１１６においては、立ち上がり部分において電圧が徐々に変化するパルスを発生する。また、実施の形態３，４のような波形で駆動電圧を印加するには、初期化パルス発生器１１１において、立ち上がり部分及び立ち下がり部分の少なくとも一方において、電圧が徐々に変化するパルスを発生する必要がある。
【００８５】
そこで、以下に、緩やかに立ち上がるパルスを発生するパルス発生回路並びに緩やかに立ち下がるパルスを発生するパルス発生回路について説明する。
図９（Ａ）に示すパルス発生回路Ｕ１は、ランプ状に立ち上がるパルスを発生するパルス発生回路である。
このパルス発生回路Ｕ１は、プルアップＦＥＴ（Ｑ１）とプルダウンＦＥＴ（Ｑ２）とが接続されてなるプッシュプル回路に、３相ブリッジドライバであるＩＣ１（例えば、International  Recifier製ＩＲ−２１１３）が接続され、プルアップＦＥＴ（Ｑ１）のゲートとドレイン間にはコンデンサＣ1が介挿され、ＩＣ１のＨo端子とプルアップＦＥＴ（Ｑ１）のゲートとの間に電流制限素子Ｒ１が介挿されて構成されている。そしてこのプルアップ回路に対しては、一定の電圧Ｖset1が印加されている。
【００８６】
このパルス発生回路Ｕ１において、プルアップＦＥＴ（Ｑ１）、コンデンサＣ1及び電流制限素子Ｒ１によってミラー積分回路が形成されており、これによって立ち上がり部分の勾配が緩やかなランプ状の波形が形成されるようになっている。
図９（Ｂ）は、パルス発生回路Ｕ１によってパルスが形成される様子を示す図である。
【００８７】
上記パルス発生回路Ｕ１において、図９（Ｂ）に示されるように、ＩＣ１のＨin端子にはパルス信号ＶHin1が、Ｌin端子にはこれと逆極性のパルス信号ＶLin1が入力されると、ＩＣ１による制御のもとにプッシュプル回路が作動して、出力端子ＯＵＴ1からは、緩勾配で電圧Ｖset1まで立ち上がるパルスが出力される。ここで、当該パルスにおける緩勾配の立ち上がリ時間長ｔ1は、コンデンサＣ１の容量Ｃ1、電圧Ｖset1、ＩＣ１における端子Ｈo−端子Ｖs間の電位差ＶH、電流制限素子Ｒ１の抵抗値Ｒ1との間に次のような関係がある。
【００８８】
0004705276.tif 000002
従って、コンデンサＣ１の容量Ｃ1あるいは電流制限素子Ｒ１の抵抗値Ｒ1を変えることによって、立ち上がリ時間長ｔ1を調整することが可能である。
一方、図１０（Ａ）に示すパルス発生回路Ｕ２は、ランプ状に立ち下がるパルスを発生するパルス発生回路である。
【００８９】
このパルス発生回路Ｕ２は、プルアップＦＥＴ（Ｑ３）とプルダウンＦＥＴ（Ｑ４）とからなるプッシュプル回路に、３相ブリッジドライバであるＩＣ２（例えば、International  Recifier製ＩＲ−２１１３）が接続され、プルダウンＦＥＴ（Ｑ４）のゲートとドレイン間にはコンデンサＣ2が介挿され、ＩＣ２のＬo端子とプルダウンＦＥＴ（Ｑ４）のゲートとの間に電流制限素子Ｒ２が介挿されて構成されている。そしてこのプッシュプル回路に対しては、一定の電圧Ｖset2が印加されている。
【００９０】
このパルス発生回路Ｕ２において、プルダウンＦＥＴ（Ｑ４）、コンデンサＣ２及び電流制限素子Ｒ２によってミラー積分回路が形成されており、これによって立ち下がり部分の勾配が緩やかなランプ状の波形が形成されるようになっている。
図１０（Ｂ）は、パルス発生回路Ｕ２によってパルスが形成される様子を示す図である。
【００９１】
上記パルス発生回路Ｕ２において、図１０（Ｂ）に示されるように、ＩＣ２のＨin端子にはパルス信号ＶHin2が、Ｌin端子にはこれと逆極性のパルス信号ＶLin2が入力されると、ＩＣ２による制御のもとにプッシュプル回路が作動して、出力端子ＯＵＴ２からは、電圧Ｖset2から緩勾配でランプ状に立ち下がるパルスが出力される。
【００９２】
ここで、当該パルスにおける緩勾配の立ち下がり時間長ｔ2は、コンデンサＣ２の容量Ｃ2、電圧Ｖset2、ＩＣ２における端子Ｌoの電位ＶL、電流制限素子Ｒ２の抵抗値Ｒ2との間に次のような関係がある。
0004705276.tif 000003
従って、コンデンサＣ２の容量Ｃ2あるいは電流制限素子Ｒ２の抵抗値Ｒ2を変えることによって、立ち下がり時間長ｔ2を調整することが可能である。
【００９３】
図１１（Ａ）に示すパルス発生回路Ｕ３は、指数関数的に立ち上がるパルスを発生するパルス発生回路である。
このパルス発生回路Ｕ３は、上記図９（Ａ）の回路と同様の構成であるが、プルアップＦＥＴ（Ｑ１）のゲートとドレイン間のコンデンサＣ1や、ＩＣ１のＨo端子とプルアップＦＥＴ（Ｑ１）のゲートとの間の電流制限素子Ｒ１は無く、代りに、ＩＣ１のＶs端子とプルアップＦＥＴ（Ｑ１）のソースとの間に電流制限素子Ｒ３が介挿されている。
【００９４】
そして、このパルス発生回路Ｕ３によって、図１１（Ｂ）に示すように、立ち上がり部分が指数関数的に変化する波形が形成される。
図１２（Ａ）に示すパルス発生回路Ｕ４は、指数関数的に立ち下がるパルスを発生するパルス発生回路である。
このパルス発生回路Ｕ４は、上記図１０（Ａ）の回路と同様の構成であるが、プルダウンＦＥＴ（Ｑ４）のゲートとドレイン間のコンデンサＣ2や、ＩＣ２のＬo端子とプルダウンＦＥＴ（Ｑ４）のゲート間の電流制限素子Ｒ２は無く、代りに、ＩＣ２のＶs端子とプルダウンＦＥＴ（Ｑ４）のドレインとの間に電流制限素子Ｒ４が介挿されている。
【００９５】
そして、このパルス発生回路Ｕ４によって、図１２（Ｂ）に示すように、立ち下がり部分が指数関数的に変化する波形が形成される。
階段状に立ち上がる波形、並びに階段状に立ち下がるパルス波形を形成する場合には、例えば、ブートストラップ階段波発生回路（電子通信ハンドブック（電子通信学会）に掲載されている。）をはじめとする階段波発生回路を用いればよい。
【００９６】
【発明の効果】
以上説明したように、本発明では、第１基板と第２基板とが互いに対向して配設され、第１基板の対向面に第１電極群と第２電極群とが互いに並行に配されていると共に、第２基板の対向面に第１電極群及び第２電極群と立体交差して第３電極群が配され、第１基板と第２基板との間に放電ガスが封入されたガス放電パネルと、書き込み期間においてデータの書き込みを行ない、維持期間において放電維持を行うガス放電表示装置において、書き込み期間において、走査パルスと重畳するようにベースパルスを走査電極群に印加するのであるが、そのベースパルスにおける印加開始から走査パルスが印加される直前までの平均電圧変化率を１０Ｖ／μ秒以下に規定することによって、
ベース電圧の絶対値を大きく設定した場合でも、ベースバルス印加タイミングにおいて誤放電が生じるのを回避できるので、書き込みを安定に行うことができるという効果が得られる。
【００９７】
また、ベースパルス印加タイミングに大きな放電が生じると、当該放電に伴う発光によってコントラストが低下するが、本発明によれば、このような発光が抑えられるのでコントラストの低下も生じにくい。
このような本発明は、上述した初期化パルスを印加する技術と組み合わせること、誤放電が防止に対してより効果的である。
【００９８】
また、本発明を用いれば、従来駆動することの難しかった封入ガス圧力が大気圧以上のガス放電パネルや放電ガス中のＸｅ分圧が１０％以上のガス放電パネルでも、安定して駆動することができる。
【図面の簡単な説明】
【図１】本発明の一実施の形態に係る交流面放電型ＰＤＰの概略構成を示す斜視図である。
【図２】実施の形態１における駆動タイミング図である。
【図３】ベースパルスの導入部における波形の変形例を示す図である。
【図４】実施の形態２における駆動タイミング図である。
【図５】実施の形態３における駆動タイミング図である。
【図６】実施の形態４における駆動タイミング図である。
【図７】実施の形態における駆動装置の構成を示すブロック図である。
【図８】図６におけるスキャンドライバの構成を示すブロック図である。
【図９】ランプ状に立ち上がるパルス発生回路の構成を示すブロック図及びその回路によってパルスが形成される様子を示す図である。
【図１０】ランプ状に立ち下がるパルス発生回路の構成を示すブロック図及びその回路によってパルスが形成される様子を示す図である。
【図１１】指数関数的に立ち上がるパルスを発生するパルス発生回路の構成を示すブロック図及びその回路によってパルスが形成される様子を示す図である。
【図１２】指数関数的に立ち下がるパルスを発生するパルス発生回路の構成を示すブロック図及びその回路によってパルスが形成される様子を示す図である。
【図１３】一般的な交流面放電型ＰＤＰの電極マトリックスを示す図である。
【図１４】２５６階調を表現する場合における１フィールドの分割方法を示す図である。
【図１５】従来例の駆動方式にかかる駆動電圧波形図である。
【図１６】従来例の駆動方式にかかる駆動電圧波形図である。
【図１７】従来例の駆動方式にかかる駆動電圧波形図である。
【符号の説明】
１０    前面パネル
１１    前面ガラス基板
２０    背面パネル
２１    背面ガラス基板
４０    放電空間
１００    駆動装置
１１１    初期化パルス発生器
１１４    走査パルス発生器
１１６    ベースパルス発生器
【図１】
0004705276.tif 000004
【図２】
0004705276.tif 000005
【図３】
0004705276.tif 000006
【図４】
0004705276.tif 000007
【図５】
0004705276.tif 000008
【図６】
0004705276.tif 000009
【図７】
0004705276.tif 000010
【図８】
0004705276.tif 000011
【図９】
0004705276.tif 000012
【図１０】
0004705276.tif 000013
【図１１】
0004705276.tif 000014
【図１２】
0004705276.tif 000015
【図１３】
0004705276.tif 000016
【図１４】
0004705276.tif 000017
【図１５】
0004705276.tif 000018
【図１６】
0004705276.tif 000019
【図１７】
0004705276.tif 000020